(57)【要約】  本体を有するおむつ替えパッドであり、その本体が頭端部、脚端部及びマージン付側縁部を有する。そのおむつ替えパッドに連結された少なくとも１個の光源が存する。その光源を、そのおむつ替えパッドと一体化させること又はそのおむつ替えパッドに可脱装着することができる。付加的に、赤ちゃんを楽しませ続けるべくそのおむつ替えパッドに可搬なおもちゃ及び音響装置を具備させることができる。
2018531113.tif 000002
【特許請求の範囲】
【請求項１】
おむつ替えパッドであって、
頭端部、脚端部及びマージン付側縁部を有する本体と、
脚端部付近で本おむつ替えパッドに連結された少なくとも１個の光源と、
を備えるパッド。
【請求項２】
請求項１のパッドであって、上記少なくとも１個の光源が、マージン付側縁部のうち脚端部寄りへと延びる下側約５０％部分に連結されているパッド。
【請求項３】
請求項１のパッドであって、上記少なくとも１個の光源が、窪みを有すると共に、本体の中線位置から見てほぼ下半、脚端部がある方に連結されているパッド。
【請求項４】
請求項１のパッドであって、その縁が脚端部付近まで延びそこに装着されている模様付半光透過フードを備え、
その半光透過フードが上記少なくとも１個の光源の一部分を覆っており、上記少なくとも１個の光源のうち上記本体の中線位置から脚端部方向に約２／３の距離に位置するものからの光がその半光透過フードによって方向転換され、部屋又はベビーベッドの天井のうち頭端部側にいるユーザから見えるところへとその半光透過フードの外面を通し夜更けの星空が投影されるパッド。
【請求項５】
請求項１のパッドであって、上記少なくとも１個の光源を有する伸縮アームであり脚端部付近の個所群に沿いその光源を位置決めしうる伸縮アームを、備えるパッド。
【請求項６】
請求項１のパッドであって、上記少なくとも１個の光源を有する可屈曲隠し伸縮アームであり頭端部付近の個所群に沿いその光源を位置決めしうる可屈曲隠し伸縮アームを、備えるパッド。
【請求項７】
請求項１のパッドであって、上記少なくとも１個の光源が、脚端部に沿い近接配置された長尺ライトバーを含むパッド。
【請求項８】
請求項１のパッドであって、上記本体の中線位置から頭端部方向に約２／３の位置に可除装着されつり下げられる可搬挿入型おもちゃを備え、
上記少なくとも１個の光源が、脚端部付近に近接装着された長尺ライトバーを含むパッド。
【請求項９】
請求項１のパッドであって、上記少なくとも１個の光源がアクセント照明、タスキング照明、アンビエント照明及び指向性照明を含むパッドであり、更に、音響を送出する電子音響装置を備えるパッド。
【請求項１０】
請求項１のパッドであって、上記本体の側方にあるマージン付側縁部に沿いほぼ中部にあるところに装着された安全紐を備え、その安全紐が当該本体の上側越しに延びているパッド。
【請求項１１】
おむつ替えパッドであって、
頭端部、脚端部及びマージン付側縁部を有する本体と、
上記本体の可搬、脚端部がある方に連結された少なくとも１個の光源と、
赤ちゃんが本パッド上に存在していることを検出するセンサと、
を備えるパッド。
【請求項１２】
請求項１１のパッドであって、その縁が脚端部まで延びそこに装着されている模様付半光透過フードを備え、
その半光透過フードが上記少なくとも１個の光源の一部分を覆っており、上記少なくとも１個の光源のうち上記本体の中線位置から脚端部方向に約２／３の距離に位置するものからの光がその半光透過フードによって方向転換され、部屋又はベビーベッドの天井のうち頭端部側にいるユーザから見えるところへとその半光透過フードの外面を通し夜更けの星空が投影されるパッド。
【請求項１３】
請求項１１のパッドであって、更に、本パッドに連結された音響装置を備え、赤ちゃんが検出されているときに音響を再生するようその音響装置が構成されているパッド。
【請求項１４】
請求項１１のパッドであって、そのセンサが重量センサ又は接近センサであるパッド。
【請求項１５】
おむつ替えパッドへのアクセサリであって、
そのおむつ替えパッドに連結しうるよう構成された連結端と、
その連結端に連結された光源と、
を備えるアクセサリ。
【請求項１６】
請求項１５のアクセサリであって、上記連結端が、上記おむつ替えパッドの頭端部、脚端部又はマージン付側縁部に連結しうるよう構成されているアクセサリ。
【請求項１７】
請求項１５のアクセサリであって、上記光源がアクセント照明、タスキング照明、アンビエント照明及び指向性照明を含み、上記連結端が、上記おむつ替えパッドの下側に滑り込む平らな基部であるアクセサリ。
【請求項１８】
請求項１５のアクセサリであって、更に、可搬なおもちゃを備えるアクセサリ。
【請求項１９】
請求項１５のアクセサリであって、更に、屈曲可能且つ所望角まで回動可能な関節付延長アームを備えるアクセサリ。
【請求項２０】
請求項１９のアクセサリであって、更に、赤ちゃんが検出されているときに音響を再生する音響装置を備えるアクセサリ。
【発明の詳細な説明】
【技術分野】
【０００１】
（先行出願）
本願は、同じ発明者による２０１５年１０月２２日付米国暫定特許出願第６２／２４５１８７号に基づき優先権を主張する出願であるので、この参照を以てその暫定特許出願の全容を本願に繰り入れる。
【０００２】
（著作権表記）
本件開示の一部分又は複数部分に著作権保護の対象となる題材が含まれている。著作権保有者は、米国特許商標庁の包袋、記録等において開示されているものについては、何人によるものであっても本件開示の複製に対し異議を唱えない。著作権保有者は、それ以外については、何であれ米国特許規則第１．７１（ｄ）の規定により本件特許開示に係るあらゆる著作権を保持する。
【０００３】
以下の情報は本件開示をより良好に理解する上で有用たりうるものである。本欄に含まれている情報だからといってその所与情報が本件開示にとり題材又は従来技術であり或いは特許請求の範囲に記載されていると認められているわけではないこと、並びに個別的、暗黙的その他の態で参照されている公報又は文献がいずれも従来技術であることに、注意されたい。
【０００４】
（開示分野）
本件開示は総じておむつ替えパッドの分野に関し、より具体的には、着脱可能又は不能な光源を有する新規なおむつ替えパッドに関する。
【背景技術】
【０００５】
従来のおむつ替えパッドはパッド、紐、サポートクッション、替えバレット等を有していた。
【０００６】
例えば、従来のおむつ替え技術には次のものがある：
（１）そのマットの中部に紐が配されているベビーパッド及びマットレス例えば特許文献１や、Ｖ字状マット（或いは三角形の側部を有するパッド）を有する幼児用サポートクッションであり特許文献２に記載されているもの、
（２）おむつ替え装置にて用いられるランプ、例えば共に赤ちゃんの頭部付近にライトを備えていて芳香器及び音楽再生装置を設けうる特許文献３及び４、ケースの縁上に常夜灯を備える特許文献５、並びに赤ちゃんの脚に向けられた２個のライトを有し赤ちゃんの目が痛められない特許文献６、
（３）おむつパッドとケースの側部上に配置された娯楽用ライトとを有する折り畳みケース例えば特許文献７、
（４）赤ちゃんのおむつ替え手順の一部をなす通風乾燥機例えば特許文献８、
（５）複数個のブルーライトを有し赤ちゃんの新生児黄疸治療に用いられる光学療法用ライト例えば特許文献９及び１０、
（６）乳児保育器の底板でありウォームライトを有するもの例えば特許文献１０、
（７）サポートクッションを有する配管工向けサポートピローでありキャビネットのシンク下で作業する人の前方に光を発するもの例えば特許文献１１、
（８）保育器の底板であり、その保育器の基板上（その保育器の隅部）にウォームライトが配されており、おむつ替えの際に照明を提供しうるもの例えば特許文献１２、並びに
（９）ライト例えば常夜灯を有するベッド又はマットレス例えば特許文献１３〜１８。
【先行技術文献】
【特許文献】
【０００７】
【特許文献１】米国意匠特許第４３６２８１号明細書
【特許文献２】米国特許第６１２５４８７号明細書
【特許文献３】米国特許第７８１０１８１号明細書
【特許文献４】米国特許出願公開第２００６／０１６３２３６号明細書
【特許文献５】米国特許出願公開第２０１４／０３１１８４３号明細書
【特許文献６】中国実用新案出願第２０３０００１３２号明細書
【特許文献７】米国特許第８４００３００号明細書（Ｂ２）
【特許文献８】米国特許第６９２８２３５号明細書（Ｂ２）
【特許文献９】米国特許出願公開第２００８／０１１６４０１号明細書
【特許文献１０】中国実用新案出願第２０３７７７５１５号明細書
【特許文献１１】米国特許第７３０５７２８号明細書（Ｂ２）
【特許文献１２】中国実用新案出願第２０３８０２７２８号明細書
【特許文献１３】中国実用新案出願第２０２０２００９９号明細書
【特許文献１４】中国実用新案出願第２０３８８２５６６号明細書
【特許文献１５】米国特許第４２２０９８４号明細書（Ａ）
【特許文献１６】米国特許第２２９０８６６号明細書
【特許文献１７】中国実用新案出願第２０３９１５３０９号明細書
【特許文献１８】中国登録実用新案第２９０７４０７号明細書
【発明の概要】
【発明が解決しようとする課題】
【０００８】
上掲の公報及び特許のいずれも、それ単独であれその組合せであれ、特許請求の範囲に記載の事項を述べているものとは見受けられない。従って、例えばさほど複雑でないこと、例えば部品数が少ないこと、優れたおむつ替え性能、例えばより長寿命であること、より良好な照明性、娯楽や楽しい環境を提供等する付加的な特徴又はオプション、等といった属性の一部又は全てを、より便利な手段及び理想的にはそのフットプリントがより小さな手段例えばサイズ的にコンパクトな構成にておむつ替えの際に提供し上掲の問題の多くを軽減又は回避することが可能な、優れたおむつパッドへの需要が存在している。
【課題を解決するための手段】
【０００９】
既知のおむつ替えパッドに生来存する上掲の諸難点に鑑み、本件開示では、照明を有する新規なおむつ替えパッドを提供する。本件開示の大目的は、後に詳述する通り、そのパッドの脚端部付近に照明を備える格別な構成のおむつ替えパッドを提供することにある。
【００１０】
本件開示の一態様に係るおむつ替えパッドは、頭端部、脚端部及びマージン（余地）付側縁部を有する本体を備える。そのおむつ替えパッドの脚端部付近には少なくとも１個の光源が連結又は一体化される。
【００１１】
本件開示の他態様に係るおむつ替えパッドは、頭端部、脚端部及びマージン付側縁部を有する本体を備える。本体の下半、脚端部がある方には少なくとも１個の光源が連結又は一体化される。
【００１２】
本件開示の他態様に係るおむつ替えパッドは、頭端部、脚端部及びマージン付側縁部を有する本体を備える。マージン付側縁部は、単純に平坦なものとすることも、赤ちゃんを中央寄せする助けになるよう成形されたボルスタ（受け材）にすることもできる。少なくとも１個の光源を、本体の下部領域、脚端部がある方に連結又は一体化してもよいし、マージン付側縁部に連結又は一体化してもよい。
【発明の効果】
【００１３】
本件開示は顕著な長所を保持するものであり、光源を有するおむつ替えパッドとして役立つ。本願中の記載からご理解頂けるように、必須でないものも含め様々な長所及び新規な特徴が、本件開示のいずれか格別な実施形態に従い実現されよう。即ち、本件開示は、本願中で教示されている長所のうち１個又は一群に適し又はそれが達成されるが、多く又は全ての長所がその教示又は示唆通りには達成されない形態にて、実施又は実行することが可能である。本件開示の特徴のうち新規であると覚しきものについては、本明細書中で個別に強調してある。注記すべきことに、添付図面は簡略化された形態である場合があり、厳密に忠実縮尺であるとは限らない。本件開示を参照するに当たっては、専ら便利さと明瞭さを目的にして、方向指示語例えば上、下、左、右、上昇、下降、上手、上方、下方、下手、後方、前方、先方及び基方が添付図面との関連で用いられている。これらの方向指示語を、どのような形態であれその実施形態の技術的範囲を限定するものと解すべきではない。
【００１４】
本明細書の記述部分に添付されている図面では、本件開示についての教示に従い、本件開示の成形おむつ替えパッド１００に関しその実施形態及び使用方法が描出されている。
【図面の簡単な説明】
【００１５】
【図１】本件開示の一実施形態に係る成形おむつ替えパッド１００を示すブロック図である。
【図２】本件開示の図１の実施形態に係る成形替えパッド１００を用いた製品２００を示す上面図であり、マージン付側縁部１０８の下側５０％部分に、間隔配置された一群の窪み付ＬＥＤライト１２０が備わっている。
【図３】本件開示の図１の実施形態に係る成形替えパッド１００を用いた製品３００を示す上面図であり、安全紐１１０及びバックル１１１が設けられたマージン付側縁部１０８の下側５０％部分１２２に、間隔配置された一群の窪み付ＬＥＤライト１２０が備わっている。
【図４】本件開示の図１の実施形態に係る成形替えパッド１００を用いた製品４００を示す上面図であり、本体１０２の中線位置１２６から見てほぼ下半１２８、脚端部１０６がある方に窪みが設けられ、そこに少なくとも１個の窪み付光源１１８が一体化されている。
【図５】本件開示の図１の実施形態に係る成形替えパッド１００を用いた製品５００を示す上面図であり、その縁１３２が脚端部１０６付近まで延びそこに装着されている模様付成形半光透過フード１３０が備わっている。
【図６】本件開示の図５の実施形態に係る成形替えパッド１００を用いた製品６００を示す側面図であり、その縁１３２が脚端部１０６付近まで延びそこに装着されている模様付成形半光透過フード１３０が設けられ、上記少なくとも１個の光源１１８のうち本体１０２の中線位置１３８から見て脚端部１０６寄りに約２／３の距離１３４に位置するものからの光がそのフード１３０により方向転換され、部屋又はベビーベッドの天井１４２のうち頭端部１０４側にいるユーザから見えるところへとそのフード１３０の外面を通し夜更けの星空１４０が投影されている。
【図７】本件開示の図１の実施形態に係るおむつ替えパッド１００を示す上面図であり、それぞれ脚端部１０６，頭端部１０４側に、間隔配置されたＬＥＤディスプレイ１４９，１５３が設けられている。
【図８】本件開示の図１の実施形態に係るおむつ替えパッド１００を示す上面図であり、それぞれ脚端部１０６，頭端部１０４側に少なくとも長尺ライトバー１５１，１５５が設けられている。
【図９】本件開示の図１の実施形態に係るおむつ替えパッド１００を示す上面図であり、可搬挿入型おもちゃ１５０が頭端部１０４付近にあり、脚端部１０６にある可屈曲隠し伸縮アーム１４６により少なくとも１個の光源１１８が支持されている。
【図１０】光源がスタンドアロン装置である実施形態を示す図である。
【図１１】図１０のスタンドアロン装置でありその基部がおむつ替えパッドの下に打ち込まれているものを示す図である。
【図１２】光源がスタンドアロン装置である実施形態を示す図である。
【図１３】図１２のスタンドアロン装置でありおむつ替えパッドの頂部に配置されているものを示す図である。
【図１４】おむつ替えパッドにおける光源とスイッチの関係を示すブロック図である。
【図１５】おむつ替えパッドにおける光源、音響装置及びスイッチの関係を示すブロック図である。
【発明を実施するための形態】
【００１６】
以下、本件開示の諸実施形態について、類似要素に類似符号が付されている添付図面を踏まえ記述することにする。
【００１７】
先に論じた通り、本件開示の諸実施形態はおむつ替えパッドの分野に関し、より具体的には新規な照明付おむつ替えパッドでありその照明ピースが着脱可能又は不能なアクセサリたりうるものに関する。
【００１８】
参照符号を用い図示の如く、上掲の図１〜図９には本件開示の諸実施形態に係るおむつ替えパッドが示されている。大まかにいえば、その脚端部に照明を備えるおむつ替えパッドが開示されている。有益なことに、おむつ替えの際、このおむつ替えパッドにより秀逸な照明、例えばアンビエント照明、アクセント照明、タスキング照明及び指向性照明がユーザに提供されるので、ルームライトを点けることなく夜間例えば真夜中におむつ替えを行うことができる。有益なことに、ある種の実施形態に係るおむつ替えパッドによれば、おむつ替え中に赤ちゃんが落ちたり滑ったりしないよう紐で赤ちゃんを留めることができる。このほか、この新規おむつ替えパッドの長所としては、脚端部側で光源の位置を変えうること、おもちゃを頭端部側に実装できること、及び／又は、赤ちゃん向けに天井照明ディスプレイを行いながらその新規おむつ替えパッド上で彼／彼女のおむつを替えられること、がある。
【００１９】
図１は、本件開示の一実施形態に係るおむつ替えパッド１００を示すブロック図である。
【００２０】
まず、図１に示す本件開示のおむつ替えパッド１００は、頭端部１０４、脚端部１０６及びマージン付側縁部１０８を有する本体１０２を備えている。このおむつ替えパッド１００の脚端部１０６付近には、例えば図２及び図３に示す如く１個又は複数個の光源１１８が一体化（或いは連結又は可脱装着）されている。
【００２１】
新規と覚しき特徴の一つは、少なくとも１個の光源１１８がおむつ替えパッド１００の上面上に配置されていて、その光源１１８が上向きで好ましくもおむつ替えパッド１００の上面と横一線であるため、清掃が容易なことである。想定されている実施形態の一つは、光源１１８をスポットライトではなくアンビエントライト（環境光）とすることで、光源１１８の面前で赤ちゃんのおむつを替えている人が不快にならないようにしたものである。
【００２２】
有益なことに、ある種の実施形態によれば、上記少なくとも１個の光源１１８に一群の間隔配置された窪み付ＬＥＤライト１２０を含めること、またそれをマージン付側縁部１０８の下側約５０％部分１２２、脚端部１０６寄りに延びているところに一体化（或いは連結又は可脱装着）することができる。好適にも、マージン付側縁部１０８から側部にて光が発せられるため、赤ちゃん１０１の交代時に光がおむつで遮られない。実施形態によっては、上記少なくとも１個の一体化（或いは連結又は可脱装着）光源１１８のうちある光源１１８が、本体１０２の中線位置１２６から見てほぼ下半１２８、脚端部１０６がある方に配置されることとなる。
【００２３】
ある例示的実施形態によれば、図３及び図４に最もよく示されている通り、様々な寸法で以て様々な個所に、上記少なくとも１個の光源１１８、安全紐１１０及び本体１０２を設けることができる。
【００２４】
上述の諸実施形態では間隔配置された一群の窪み付ＬＥＤライトが必要だと明記したが、上述の諸実施形態や後述の諸実施形態では、やはり、あらゆる種類（例．白熱電球その他の非ＬＥＤライト）、あらゆる形状又はサイズ（例．ライトストリップ、単体ライト、ライトバー）の照明素子が想定されているので、その点に注意されたい。
【００２５】
本明細書の随所に示す如く、上記少なくとも１個の光源１１８は、窪み付、平坦型、円筒状、間隔配置型、長尺型等とすることができ、その配置個所は、本体１０の脚端部１０６、頭端部１０４及びマージン付側縁部１０８例えば下側５０％部分１２２沿いのうち少なくとも１個の上とすることができる。
【００２６】
安全紐１１０は、ナイロン、布、織物、ラバー、複合材等で製造すること、様々な長さ、幅及び厚みにすること、並びに、その紐１１０を本体１０２にぴったり沿わせるのに必要で赤ちゃん１０１をそこに安全且つ安楽に固定しうる様々な締結手段、例えば取付具１４７を有するものとすることができる。
【００２７】
ある種の実施形態では、図３に最もよく示されているように、安全紐１１０、例えばバックル１１１等のファスナ１１１を用いるものが、本体１０２のマージン付側縁部１０８に沿いほぼ中部１１２に付設され、本体１０２の上側１１６越しに延ばされ、例えばおむつ替え中の赤ちゃん１０１がそれによりおむつ替えパッド１００に固定される。安全紐１１０の取付具１４７、例えばクリップ、磁石、面ファスナ等は、本体１０２内に回収、蓄蔵し本体１０２外に延伸する機能があるならどのようなものでもよく、本願中に示す例には限られない。
【００２８】
本体１０２は、例えばその赤ちゃんの部屋、周囲環境条件、大きさ、身長、月齢等に従い、赤ちゃん１０１の安楽及び安全上必要な様々な長さ、幅及び高さとすることができる。
【００２９】
ある例によれば、上記少なくとも１個の窪み付光源１１８が直径ＤＩＡ＝約１３９．７ｍｍ、窪み深さＤＥＰＴＨ＝約３１．７８とされ、安全紐１１０が左紐長ＳＬ＝約４４４ｍｍ、右紐長ＳＲ＝約２４４ｍｍ、幅ＳＷ＝約２５．４４ｍｍとされ、本体１０２が長さＭＬ＝約７８７ｍｍ、幅ＭＷ＝約４０６ｍｍ、高さＭＨ＝約１０１ｍｍとされる。
【００３０】
ある例によれば、図４に最もよく示されているように、内側部分即ち赤ちゃん１０１が横たわっているところがマージン付側縁部１０８よりも低くなるよう、本体１０２の中部が成形される。その実施形態の一つは、本体１０２の中部の高さが約３８ｍｍで、（本体１０２の中部の縁即ちマージン付側縁部１０８の始まりでの）約３８ｍｍなる高さから（マージン付側縁部１０８の外縁での）１０１ｍｍなる略最終高さへと移行していく傾斜が、マージン付側縁部１０８に付いているものである。
【００３１】
ある種の実施形態では模様付成形半光透明フード１３０が利用され、そのフードの縁１３２が脚端部１０６付近に達しそこに装着される。
【００３２】
図５に最もよく示されているように、模様付成形半光透明フード１３０は、例えば青色のフードであり、例えば（光に対し透明で）様々な形状の有色アイテムを有するもの、例えば模様付成形半光透明フード１３０の頂部上に例えば白い星１３１、黄色い半月１３３等が配されているものである。
【００３３】
有益なことに、上記少なくとも１個の光源１１８から発せられた光の一部がその成形半光透明フード１３０によってカバーされる。有益なことに、上記少なくとも１個の光源１１８のうち、本体１０２の中線位置１３８から見て脚端部１０６寄りに約２／３の距離１３４に位置するものからの光が、その成形半光透明フード１３０によって方向転換される。
【００３４】
更に、図６に最もよく示されているように、例えば部屋又はベビーベッドの天井１４２のうち頭端部１０４側にいるユーザ例えば赤ちゃんから見えるところに、その成形半光透過フード１３０によってその外面を通し夜更けの星空１４０が投影される。
【００３５】
更に他の実施形態では、半光透明フード１３０が頭端部１０４付近に配置され、少なくとも１個の光源１１８のうち、脚端部１０６付近に立っているユーザから離れているものからの光が、その半光透明フード１３０によって方向転換される。脚端部には、赤ちゃんの下半身を照らす付加的な光源を配置する。
【００３６】
更に他の実施形態によれば、半光透過フード１３０を任意な所望個所にておむつ替えパッド１００に可脱又は恒久連結可能なものとすることで、ユーザの選択に従い、その外面を通し部屋又はベビーベッドの天井１４２へと夜更けの星空１４０を投影させることが可能となる。
【００３７】
ある種の実施形態では、図７及び図８に最もよく示されているように、光源のうち少なくとも１個の光源１５２，１５４、例えば間隔配置された窪み付ＬＥＤライト１４９，１５３、長尺ライトチューブ又は長尺ライトバー１５１，１５５等が、脚端部１０６及び／又は頭端部１０４付近に近接装着される。
【００３８】
ある種の実施形態では、図９に最もよく示されているように、少なくとも１個の光源１１８を有する可屈曲隠し伸縮アーム１４６であり、脚端部１０６付近にある個所群１４４に沿いその光源１１８を位置決め可能なものが設けられる。
【００３９】
ある種の実施形態では、図９に最もよく示されているように、可搬な挿入型のおもちゃ１５０が可除装着され、本体１０２の中線位置１３８から見て頭端部１０４寄りに約２／３の距離１３６にあるところにつり下げられる。
【００４０】
先に論じた通り、上記少なくとも１個の光源１１８，１５２，１５４にはアクセント照明、タスキング照明、アンビエント照明及び指向性照明が含まれうる。
【００４１】
ある種の実施形態では、図９に最もよく示されているように、上記少なくとも１個の光源１１８を有する可屈曲隠し伸縮アーム１４６であり、脚端部１０６寄りの個所群１４４に沿いその光源１１８を位置決め可能なものが設けられる。ある種の実施形態では、少なくとも１個の光源１１８を有する可屈曲隠し伸縮アーム１４６であり、脚端部１０６寄りの個所群１４４に沿いその光源１１８を位置決め可能なものが設けられる。
【００４２】
ある種の実施形態にて、上記少なくとも１個の光源１１８を有する可屈曲隠し伸縮アーム１４６をパッド１００の脚端部１０６に装着するのに用いられる取付具１４７、例えばクリップ、磁石、面ファスナ等は、本体１０２内に回収、蓄蔵し本体１０２外に延伸する機能があるものならどのようなものでもよく、従って取付具１４７は本願中に示す例に限られない。
【００４３】
ある種の実施形態にて、可屈曲隠し伸縮アーム１４８を頭端部１０４にてパッド１００に装着するのに用いられる取付具１４７、例えばクリップ、磁石、面ファスナ等は、本体１０２内に回収、蓄蔵し本体１０２外に延伸する機能があるものならどのようなものでもよく、従って取付具１４７は本願中に示す例に限られない。
【００４４】
ある種の実施形態では、上記少なくとも１個の光源１５２であり長尺ライトバー１５１、間隔配置されたＬＥＤディスプレイ１４９等を含むものが、ほぼ脚端部１０６沿いに配置される。
【００４５】
例えば、上記少なくとも１個の光源１１８，１５２，１５４にアクセント照明、タスキング照明、アンビエント照明及び指向性照明が含まれる。
【００４６】
ある種の実施形態では、例えば、図９に最もよく示されているように、可搬な挿入型のおもちゃ１５０が可除装着され、本体１０２の中線位置１３８から見て頭端部１０４寄り、約２／３の距離１３６にあるところにつり下げられる。例えば、上記少なくとも１個の光源１５２であり、指向性ライト例えば長尺ライトチューブ１５１、間隔配置された窪み付ＬＥＤライト１４９等を有するものが、脚端部１０６付近に近接装着される。
【００４７】
本発明のもう一つの態様は、おむつ替えパッド１００への可脱型アクセサリに関するものである。上述した光源（即ちライトバー、電球、一群のＬＥＤライト、伸縮アーム上のライト、星空照明フード付きライト）は、いずれも、あらゆる既知なおむつ替えパッドに載置すること、挿入すること、付着させること、連結すること又は下差しすることが可能なスタンドアロンアクセサリとすることができる。
【００４８】
まず、図１０に、テーブル５の頂部に載置されたおむつ替えパッド１０２を示す。テーブル５上、おむつ替えパッドの隣にはスタンドアロンライトアクセサリが載置されている。このスタンドアロンライトアクセサリは、その体部２４６に光源２１８が連結された構成であると見なせる。上述した光源のうちどの種類のものを実装してもかまわない。好ましくは、体部２４６をおむつ替えパッド１０２の厚みに比し高背とする。体部２４６は前方に延びる基部２５５に連結することができ、またその基部２５５を図１１に示す如くおむつ替えパッド１０２の下に打ち込む（或いは滑り込ませる）ことで、おむつ替えパッドの僅かな重量でそれ自体を安定化させることができる。好ましくは、基部２５５を体部２４６から見て前方に少なくとも１０ｃｍ延ばし、より好ましくは少なくとも１５ｃｍ延ばし、特に好ましくは少なくとも２０ｃｍ延ばすこととする。本実施形態のアクセサリでは、それ自体をおむつ替えパッドにしっかりと装着するためのクリップやクランプが全く必要とならない。ユーザは、彼／彼女のしたいままに、おむつ替えパッド１０２の任意側（即ち頭端部側、脚端部側、横側）の下に基部２５５を自在に打ち込み、照明方向をおむつ替えに最も相応しいそれとすることができる。
【００４９】
次に、図１２及び図１３に、ハウジング２８８を有しおむつ替えパッド１０２の隣に配置されているスタンドアロンライトアクセサリを示す。このスタンドアロンライトアクセサリは、光源２１８と、その光源２１８の上方を覆うフード２１８とを有している。ユーザは、図１３に示すように、おむつ替えパッド１０２の上面上にこのスタンドアロンライトアクセサリを自在に載置することができる。
【００５０】
他種の想定されている実施形態によれば、図１２及び図１３に示したフード２１８を図６に示した実施形態と同様の構成とすること、特に赤ちゃん方向に光が反射されるようそのフード２１８を傾けることができる。更に他の実施形態によれば、同じく、図１２及び図１３に示したフード２１８を図５及び図６に示した実施形態と同様の構成とすること、特にそのフード２１８に設けられている星座その他の図形又は文字を天井に投影し赤ちゃんの興味を惹き続けられるようにすることができる。
【００５１】
本願記載のいずれの実施形態に係るスタンドアロンライトアクセサリも、バッテリから給電を受け、電源コードにより給電を受け、或いは再充電機能を有するものとすることができる。
【００５２】
更に他の実施形態によれば、スタンドアロンアクセサリに光源２１８を設けるのに代え又は加え、例えば可搬型おもちゃ及び可搬型楽器をはじめあらゆる可搬型キットを、そのスタンドアロンアクセサリに具備させることができる。
【００５３】
ここまで開示してきた実施形態に係るスタンドアロンアクセサリは、おむつ替えパッドの上に載置し又は下に押し込むことが可能なものであった。他種実施形態に係るスタンドアロンアクセサリとしては、例えばクリップ、ＶＥＬＣＲＯ（登録商標）接着テープ又はクランプをはじめ、何らかの既知手法を用いおむつ替えパッド１０２に可脱装着可能なものがある。
【００５４】
光源のターンオン及びターンオフは、本願記載のスタンドアロンアクセサリ具備実施形態のいずれでも、何らかの既知スイッチ１９２によるものとすることができ、また接近センサ、赤外線センサ又は重量センサが関わるものとすることができる。ある実施形態では、赤ちゃんがおむつ替えパッド上に載せられたときに、そのことが重量センサにより検出され光源がターンオンされる。
【００５５】
本明細書を通じ、おむつ替えパッドのことがしばしば成形おむつ替えパッドと記されている。その上面が成形されているか否かを問わず、様々な形状のおむつ替えパッドが想定されていることに、特に注意すべきである。
【００５６】
特に考慮されているのは、本願記載のどの実施形態にも電子音響装置１９５を具備させうることである。この音響装置１９５には、音響（ホワイトノイズ、音楽、母親の子宮に発する音響を模したもの等々）を赤ちゃんへと送出するスピーカを具備させることができる。その送出のコンテンツはあらゆる既知手法、例えばダウンロード、ストリーミング、レコーディング、音源からの無線伝送（例．ＢＬＵＥＴＯＯＴＨ（登録商標））経由中継放送、或いは製造者による埋込事前レコーディングによって入手することができる。音響装置１９５の居所は、おむつ替えパッド上のどこでもよくまたスタンドアロンアクセサリ上のどこでもよいと考えられる。好ましくは、音響装置１９５をおむつ替えパッドの上面上、赤ちゃんの頭部の両側付近に配置する。
【００５７】
本明細書を一読することでご理解頂けるように、相応な状況下では、ユーザの要求又は好み、設計的配慮、市場動向、コスト、構造的条件、利用可能な素材、技術的な進展等々をはじめとする諸事項を考慮し、例えば上掲のリストにおける順序等といった使用アレンジメントの他方法、即ち別のステップ、削除されたステップ及び／又は付加的ステップで構成されていて例えば手順、処理及び／又は保守工程が加入又は削除されている方法が、十分であるとされうる。
【００５８】
とはいえ、本件技術分野に習熟した者（いわゆる当業者）には明らかな通り、既に開示されているもの以外にも、更に多くの変形を、本願記載の概念から離隔することなく施すことができる。従って、その実施形態を、添付する特許請求の範囲の神髄以外によって限定すべきではない。更に、明細書，特許請求の範囲双方を解釈するに当たっては、あらゆる語を、その内容と違背しない最広義な形態で解釈すべきである。
【００５９】
特に、語「備える」及び「有する」は非排他的形態にて諸要素、部材又はステップを参照しているものと解釈すべきであり、これは、参照されている要素、部材又はステップが明示的に参照されていない他の要素、部材又はステップと共存、併用又は結合されうることを意味している。特許請求の範囲に記載の主題に対する非実質的な変更のうち、既知であるか今後案出されるかを問わず、いわゆる当業者が看取できるもの及び本願記載のものは、特許請求の範囲の技術的範囲に等価的に帰属し且ついわゆる当業者により理解されるものと、明らかに認められる。従って、いわゆる当業者にとり現在既知であり又は今後既知となる自明な置換は、定義されている諸要素の技術的範囲内並びに本明細書の読解であり本願中に記されている範囲内に属するものと認められる。
【００６０】
従って、特許請求の範囲には、具体的に描出及び上述されているもの、概念的に等価なもの、自明的に置換可能なもの、更には実施形態の本質的思想を本質的に内包しているものが、包含されるものと理解されるべきである。加えて、明細書及び特許請求の範囲において、Ａ、Ｂ、Ｃ、…及びＮからなる集合から選択された何かのうち少なくとも１個、と述べられている場合、その文言は、Ａに加えＮが必要、Ｂに加えＮが必要等々ではなく、その集合に属する要素のうち１個だけがあればよい、と解釈されるべきである。
【図１】
2018531113.tif 000003
【図２】
2018531113.tif 000004
【図３】
2018531113.tif 000005
【図４】
2018531113.tif 000006
【図５】
2018531113.tif 000007
【図６】
2018531113.tif 000008
【図７】
2018531113.tif 000009
【図８】
2018531113.tif 000010
【図９】
2018531113.tif 000011
【図１０】
2018531113.tif 000012
【図１１】
2018531113.tif 000013
【図１２】
2018531113.tif 000014
【図１３】
2018531113.tif 000015
【図１４】
2018531113.tif 000016
【図１５】
2018531113.tif 000017
【国際調査報告】
2018531113.tif 000018
2018531113.tif 000019
2018531113.tif 000020